(57)【要約】      （修正有）【課題】タブレットＰＣなどの電子機器を直立に置くことができる電子機器用の保護カバーを提供する。【解決手段】第一板体１は、電子機器の背部に取り付けられ、第一板体は四辺形を呈するとともに、折線１１を備え、第一板体は、折線を中心として、固定領域１２と折り曲げ領域１３とに分けられる。第一板体における固定領域の二つの角の位置には、それぞれ、第一係合部材１４が設けられ、第一板体における固定領域の二つの角の位置に対応する側の側辺には、それぞれ、第二係合部材１１が設けられる。第一板体における折り曲げ領域には、少なくとも二つの補助係合部材１６が設けられ、固定領域及び第一係合部材と第二係合部材は、電子機器に固定して結合され、折り曲げ領域及び補助係合部材は、電子機器に可動に結合される。第二板体２は、第一板体の折り曲げ領域の側辺に連結される。【選択図】図１
0003174930.tif 000002
【実用新案登録請求の範囲】
【請求項１】
電子機器に取り付けられる直立に置くことができる保護カバーであって、
前記保護カバーは、第一板体と、第二板体とからなり、
前記第一板体は、前記電子機器の背部に取り付けられ、前記第一板体は四辺形を呈するとともに、折線を備え、前記第一板体は、前記折線を中心として、固定領域と折り曲げ領域とに分けられ、前記第一板体における前記固定領域の二つの角の位置には、それぞれ、第一係合部材が設けられ、前記第一板体における前記固定領域の二つの角の位置に対応する側の側辺には、それぞれ、第二係合部材が設けられ、
前記第一板体における前記折り曲げ領域には、少なくとも二つの補助係合部材が設けられ、前記固定領域及び前記第一係合部材と第二係合部材は、前記電子機器に固定して結合され、前記折り曲げ領域及び前記補助係合部材は、前記電子機器に可動に結合され、
前記第二板体は、前記第一板体の折り曲げ領域の側辺に連結され、第二板体及び第一板体が連結された側辺と前記折線は平行を呈することを特徴とする、直立に置くことができる保護カバー。
【請求項２】
前記第二板体には係止部材が設けられ、前記係止部材は、第二板体と第一板体が連結された側辺から離れた側の側辺に設けられることを特徴とする、請求項１に記載の直立に置くことができる保護カバー。
【考案の詳細な説明】
【技術分野】
【０００１】
本考案は直立に置くことができる保護カバーに関し、特に相互に対応する第一板体と第二板体を連結し、第一板体に折線を設けて、第一板体を固定領域と折り曲げ領域に分けることで、第一板体に折り曲げ効果を備えさせた、直立に置くことができる保護カバーに関する。
【背景技術】
【０００２】
タブレットＰＣに用いられる従来の保護構造（例えば、保護皮カバー）は、主に、材体（例えば、皮革、ウレタンフォームや、その他の材質）から収納袋を形成させてなる。タブレットＰＣを保護皮カバー内に収容することで、使用者がタブレットＰＣを携帯する時、保護皮カバーに完全に覆われているため、タブレットＰＣの耐震度を強化することができる。それと同時に、タブレットＰＣが隔絶され、外部のその他の物品とぶつかったり摩擦がおきたりしなくなり、タブレットＰＣの外観が破損したり傷ついたりするのを防ぐことができる。
【０００３】
しかしながら、タブレットＰＣの収納に用いられる従来の保護皮カバーは、タブレットＰＣを完全に覆いタブレットＰＣの耐震度を強化するとともに、タブレットＰＣの外観が破損したり傷ついたりするのを防ぐことができるものの、従来の保護皮カバーを使用すると、タブレットＰＣを保護皮カバー内に収納する動作、或いは、タブレットＰＣを保護皮カバー内から取り出す動作を反復して行わなければならないため、使用する上で利便性が低い。また、タブレットＰＣを保護皮カバー内から取り出した時、前記保護皮カバーとタブレットＰＣが分離していると、保護皮カバーを紛失してしまう可能性が極めて高くなる。それ以外にも、タブレットＰＣは、マルチメディア（例えば、音楽、映像、映画、その他の映像音楽コンテンツ）の再生を行うことができるが、従来の保護皮カバーは、タブレットＰＣを直立して置くのを支える機能を有していないので、使用者は、手で長時間タブレットＰＣを支えなければならず、使用者の手やその他の部位が痛くなったり、疲れたりすることになる。
【考案の概要】
【考案が解決しようとする課題】
【０００４】
そこで、本考案は、直立に置くことができる保護カバーを提供することを目的とする。
【課題を解決するための手段】
【０００５】
本考案による直立に置くことができる保護カバーは、電子機器に取り付けられる。前記保護カバーは、第一板体と、第二板体とからなる。前記第一板体は、前記電子機器の背部に取り付けられ、前記第一板体は四辺形を呈するとともに、折線を備え、前記第一板体は、前記折線を中心として、固定領域と折り曲げ領域とに分けられ、前記第一板体における前記固定領域の二つの角の位置には、それぞれ、第一係合部材が設けられ、前記第一板体における前記固定領域の二つの角の位置に対応する側の側辺には、それぞれ、第二係合部材が設けられる。前記第一板体における前記折り曲げ領域には、少なくとも二つの補助係合部材が設けられ、前記固定領域及び前記第一係合部材と第二係合部材は、前記電子機器に固定して結合され、前記折り曲げ領域及び前記補助係合部材は、前記電子機器に可動に結合される。前記第二板体は、前記第一板体の折り曲げ領域の側辺に連結され、第二板体及び第一板体が連結された側辺と前記折線は平行を呈する。
【考案の効果】
【０００６】
第一板体を電子機器の背部に取り付け、第二板体を第一板体の正面に配置させたとき、第二板体は電子機器の表面を覆うことができ、電子機器を完全に覆うことができる以外に、使用する際は、第二板体を開くだけで、電子機器を操作することができる。電子機器を直立させて置く時は、第一板体の折り曲げ領域を電子機器の背部の方向に折り曲げ、折り曲げ領域と電子機器を分離させると、第一板体の折り曲げ領域を電子機器が直立に置かれた時の支持として用いることができる。それにより、電子機器を直立させて置く効果を兼ね備えさせることができる。また、折り曲げ領域の折り曲げ角度を調整することにより、電子機器を直立に置いた時の傾斜角度を制御することができる。
【図面の簡単な説明】
【０００７】
【図１】本考案の保護カバーを展開させた状態を示した斜視図である。
【図２】本考案の保護カバーの使用実施例を示した説明図である。
【図３】本考案の保護カバーの一つ目の実施状態を示した説明図である。
【図４】本考案の保護カバーの二つ目の実施状態を示した説明図である。
【図５】本考案の保護カバーの三つ目の実施状態を示した説明図である。
【考案を実施するための形態】
【０００８】
図１から図５に示すように、本考案による直立に置くことができる保護カバーは、主に、電子機器３に取り付けられる。保護カバーは、第一板体１と第二板体２とからなる。
【０００９】
第一板体１は、電子機器３の背部に取り付けられる。第一板体１は、四辺形を呈するとともに、同じ形状の電子機器３の背部に取り付けられる。また、第一板体１の本体には、折線１１が設けられ、第一板体１の本体は、折線１１を中心として、固定領域１２と、折り曲げ領域１３とに分けられる。第一板体１における固定領域１２の二つの角の位置には、それぞれ、第一係合部材１４が設けられ、その二つの対応する側辺には、それぞれ、第二係合部材１５が設けられる。また、第一板体１における折り曲げ領域１３には、少なくとも二つの補助係合部材１６が設けられる。
【００１０】
第二板体２は、第一板体１の折り曲げ領域の側辺に連結され、第二板体２及び第一板体１が連結する側辺と折線１１は平行を呈し、第二板体２は、ひっくり返す方式で、第一板体１の正面、或いは、背面に配置させることができ、或いは、第二板体２は第一板体１と相互に挟み合わせることもできる。また、第二板体２には、係止部材２１が設けられ、係止部材２１は、第二板体２と第一板体１が連結する位置から離れた側の側辺に配置される。
【００１１】
第一板体１の固定領域１２に設けられた第一係合部材１４と第二係合部材１５は、それぞれ、電子機器３辺縁に係合され、それにより、固定領域１２、及び、第一係合部材部１４と第二係合部材１５は、電子機器３に固定して結合される。また、第一板体１の折り曲げ領域１３に設けられた補助係合部材１６は、電子機器３のもう一方の辺縁に係合され、それにより、折り曲げ領域１３及び補助係合部材１６は、電子機器３に可動に結合される（図４に図示）。
【００１２】
第一板体１を電子機器３の背部に取り付けた時、第二板体２は、第一板体１の正面に位置して電子機器３の表面を覆い、さらに、第二板体２に設けられた係止部材２１を電子機器３辺縁に係止することで、第一板体１と第二板体２は、電子機器３を完全に挟みこんで覆い、固定する。それにより、電子機器３の耐震度を強化し、電子機器３の外観が破損したり傷ついたりしないように保護することができる。また、使用する時は、第二板体２を開くだけで、電子機器３の操作を行うことができ、使用するのに便利であるとともに、第一板体１と第二板体２は相互に連結されているため、第一板体１と第二板体２が分離した状態では第二板体２を紛失してしまいやすいという状況を防ぐことができる。
【００１３】
電子機器３を直立させて置く時は、第一板体１を折線１２の位置に沿って折り曲げる（即ち、第一板体１の折り曲げ領域１３を電子機器３の背部の方向に折り曲げる）。それにより、折り曲げ領域１３と電子機器３が分離され、第一板体１の折り曲げ領域１３を電子機器３が直立に置かれた時の支持として用いることができる（図５に図示）。この時、電子機器３における第一板体１から離れた側の側辺は、第二板体２上に配置され、折り曲げ領域１３の折り曲げ角度を調整することにより、電子機器３を直立に置いた時の傾斜角度を制御することができる。このように、本考案は、電子機器３を直立させて置く効果を達成することができる。
【００１４】
上述した内容をまとめると、本考案の技術特徴は、第一板体１と第二板体２を相互に連結させるとともに、第一板体１に折線１１を設けて固定領域１２と折り曲げ領域１３に分けることで、第一板体１は折り曲げ効果を有することができる。電子機器３を直立させて置いた時、第一板体１の折り曲げ領域１３を電子機器３の背部に向かって折り曲げ、折り曲げ領域１３を電子機器３が直立に置かれた時の支持として用いることで、電子機器３を直立に置いて使用する効果を達成することができる。
【符号の説明】
【００１５】
１      第一板体          
１１    折線
１２    固定領域          
１３    折り曲げ領域
１４    第一係合部材      
１５    第二係合部材
１６    補助係合部材      
２      第二板体
２１    係止部材          
３      電子機器
【図１】
0003174930.tif 000003
【図２】
0003174930.tif 000004
【図３】
0003174930.tif 000005
【図４】
0003174930.tif 000006
【図５】
0003174930.tif 000007